(57)【要約】【課題】  装置の異常時等に、ＣＰＵの暴走等の影響を受けることなく過熱を良好に抑制することのできる画像形成装置の提供。【解決手段】  サーマルシャットダウン回路２１９が複合ＩＣ２１０の過熱を検出すると、ＡＳＩＣ２００からＦＡＮＯＮ信号が出力されているか否かに関わらず、ドライバ回路２１１を介してファン２５１が駆動される（ＯＲ回路２１５）。また、サーマルシャットダウン回路２１９が複合ＩＣ２１０の過熱を検出しているときは、ＡＳＩＣ２００からモータドライバ２１２へ入力されるモータ駆動許可（Enable）、及び、ＡＳＩＣ２００からドライバ回路タイマ回路２１３，２１４へ入力される給紙ソレノイドＯＮ信号，レジストソレノイドＯＮ信号が無効化される（ＡＮＤ回路２１６，２１７，２１８）。このため、発熱を抑制すると共にファン２５１を強制的に駆動することができる。【選択図】図２
2008040169.tif 000002
【特許請求の範囲】
【請求項１】
被記録媒体に電子写真方式で画像を形成する画像形成手段を、内部に備えた画像形成装置であって、
該画像形成装置の内部に設けられ、該画像形成装置の内部機構を駆動するモータと、
該モータを駆動するモータ駆動手段と、
上記画像形成装置の内部を冷却するファンを駆動するためのファンモータを駆動するファン駆動手段と、
温度を検出する温度検出手段と、
該温度検出手段が検出した温度が過熱状態に相当する温度となったとき、上記モータ駆動手段に上記モータを停止させ、上記ファン駆動手段に上記ファンモータを駆動させる制御手段と、
を備えたことを特徴とする画像形成装置。
【請求項２】
上記制御手段が、ハードロジック回路にて構成されたことを特徴とする請求項１記載の画像形成装置。
【請求項３】
上記温度検出手段が、上記モータ駆動手段を含む制御部の温度を検出することを特徴とする請求項１または２記載の画像形成装置。
【請求項４】
上記モータ駆動手段と、上記ファン駆動手段と、上記温度検出手段と、上記制御手段とが、共通のＩＣ内に形成されたことを特徴とする請求項１〜３のいずれかに記載の画像形成装置。
【請求項５】
更に、
上記モータの駆動力の被記録媒体への伝達／非伝達を切り換えるためのソレノイドと、
上記共通のＩＣ内に形成され、上記ソレノイドを駆動するソレノイド駆動手段と、
を備えたことを特徴とする請求項４記載の画像形成装置。
【請求項６】
上記共通のＩＣ内には、計時を行ってその計時結果に基いて上記ソレノイドを制御する計時制御手段が形成されたことを特徴とする請求項５記載の画像形成装置。
【請求項７】
上記温度検出手段が、上記共通のＩＣの温度を検出することを特徴とする請求項４〜６のいずれかに記載の画像形成装置。
【発明の詳細な説明】
【技術分野】
【０００１】
本発明は、被記録媒体に電子写真方式で画像を形成する画像形成装置に関し、詳しくは、装置の異常時等に過熱を抑制することのできる画像形成装置に関する。
【背景技術】
【０００２】
従来より、被記録媒体に電子写真方式で画像を形成する画像形成手段を、内部に備えた画像形成装置が考えられている。この種の装置では、内部に設けられた画像形成手段によって被記録媒体に電子写真方式で画像を形成することができる。
【０００３】
また、この種の装置では、装置に何らかの異常がある場合に一部のアクチュエータが駆動されると、不都合が生じる場合がある。そこで、例えば、画像形成装置内の各種モータをソフトウェアによって制御する装置において、モータの駆動中にタイムアウトが発生した場合にはモータを停止させることが提案されている（例えば、特許文献１参照。）。
【特許文献１】特開平９−１２０２３２号公報
【発明の開示】
【発明が解決しようとする課題】
【０００４】
ところが、装置の異常等に対する制御をソフトウェアで行う場合、ＣＰＵが暴走するなどすると、その異常等に対する対処が全くできなくなってしまう。また、装置の異常時にファンも含む全てのアクチュエータを停止してしまうと、装置が過熱する可能性がある。
【０００５】
そこで、本発明は、装置の異常時等に、ＣＰＵの暴走等の影響を受けることなく過熱を良好に抑制することのできる画像形成装置を提供することを目的としてなされた。
【課題を解決するための手段】
【０００６】
上記目的を達するためになされた本発明は、被記録媒体に電子写真方式で画像を形成する画像形成手段を、内部に備えた画像形成装置であって、該画像形成装置の内部に設けられ、該画像形成装置の内部機構を駆動するモータと、該モータを駆動するモータ駆動手段と、上記画像形成装置の内部を冷却するファンを駆動するためのファンモータを駆動するファン駆動手段と、温度を検出する温度検出手段と、該温度検出手段が検出した温度が過熱状態に相当する温度となったとき、上記モータ駆動手段に上記モータを停止させ、上記ファン駆動手段に上記ファンモータを駆動させる制御手段と、を備えたことを特徴としている。
【０００７】
このように構成された本発明では、温度検出手段が検出した温度が過熱状態に相当する温度となったとき、制御手段は次のような制御を行う。すなわち、画像形成装置の内部に設けられてその画像形成装置の内部機構を駆動するモータをモータ駆動手段に停止させ、画像形成装置の内部を冷却するファンを駆動するためのファンモータをファン駆動手段に駆動させる。このため、モータ及びモータ駆動手段の発熱が減少し、かつ、ファンによって画像形成装置の内部を冷却することができるので、ＣＰＵの暴走等の影響を受けることなく装置の過熱を良好に抑制することができる。
【０００８】
なお、本発明は以下の構成に限定されるものではないが、上記制御手段は、ハードロジック回路にて構成されたものであってもよい。この場合、制御手段がハードロジック回路にて構成されているので、ＣＰＵの暴走等の影響を一層良好に排除することができる。
【０００９】
また、上記温度検出手段は、上記モータ駆動手段を含む制御部の温度を検出するものであってもよい。この場合、温度検出手段がモータ駆動手段を含む制御部の温度を検出するので、上記制御部の過熱を一層良好に抑制することができる。
【００１０】
また、上記各発明の画像形成装置において、上記モータ駆動手段と、上記ファン駆動手段と、上記温度検出手段と、上記制御手段とが、共通のＩＣ内に形成されてもよい。この場合、モータ駆動手段，ファン駆動手段，温度検出手段，及び制御手段が共通のＩＣ内に形成されているので、構成を簡略化して製造コストを低減すると共に、ノイズ等による誤動作も抑制することができる。
【００１１】
また、上記共通のＩＣを備えた場合、更に、上記モータの駆動力の被記録媒体への伝達／非伝達を切り換えるためのソレノイドと、上記共通のＩＣ内に形成され、上記ソレノイドを駆動するソレノイド駆動手段と、を備えてもよい。この場合、ソレノイドは、上記モータの駆動力の被記録媒体への伝達／非伝達を切り換えるので、被記録媒体の搬送等が適宜のタイミングで間欠的に行える。また、この場合、上記ソレノイドを駆動するソレノイド駆動手段も、上記共通のＩＣ内に形成されているので、一層構成を簡略化して製造コストを低減すると共に、ノイズ等によるソレノイドの誤動作も抑制することができる。
【００１２】
また、上記ソレノイド及びソレノイド駆動手段を備えた場合に、更に、上記共通のＩＣ内には、計時を行ってその計時結果に基いて上記ソレノイドを制御する計時制御手段が形成されてもよい。この場合、計時手段による計時結果に基いて、計時制御手段では、例えば上記ソレノイドを所定時間以上駆動しないなどの各種制御が実行可能となる。
【００１３】
また更に、上記共通のＩＣを備えた場合、上記温度検出手段は、上記共通のＩＣの温度を検出してもよい。この場合、上記温度検出手段が上記共通のＩＣの温度を検出するので、上記共通のＩＣの過熱を一層良好に抑制することができる。
【発明を実施するための最良の形態】
【００１４】
次に、本発明の実施の形態を、図面と共に説明する。図１は、本発明が適用された画像形成装置としてのレーザプリンタ１の構成を表す概略側断面図である。図１に示すように、レーザプリンタ１は、本体ケース２内に、被記録媒体としての用紙３を給紙するためのフィーダ部４や、給紙された用紙３に画像を形成するための画像形成手段としての画像形成部５などを備えている。
【００１５】
フィーダ部４は、本体ケース２内の底部に着脱可能に装着される給紙トレイ６と、給紙トレイ６内に設けられた用紙押圧板７と、給紙トレイ６の一端側端部の上方に設けられる給紙ローラ８及び給紙パッド９と、給紙ローラ８に対して用紙３の搬送方向下流側に設けられる紙粉取りローラ１０，搬送ローラ１１と、搬送ローラ１１に対して用紙３の搬送方向下流側に設けられるレジストローラ１２とを備えている。
【００１６】
用紙押圧板７は、用紙３を積層状にスタック可能とされ、給紙ローラ８に対して遠い方の端部において揺動可能に支持されることによって、近い方の端部が上下方向に移動可能とされており、また、その裏側から図示しないばねによって上方向に付勢されている。そのため、用紙押圧板７は、用紙３の積層量が増えるに従って、給紙ローラ８に対して遠い方の端部を支点として、ばねの付勢力に抗して下向きに揺動する。給紙ローラ８及び給紙パッド９は、互いに対向状に配設され、給紙パッド９の裏側に配設されるばね１３によって、給紙パッド９が給紙ローラ８に向かって押圧される。
【００１７】
用紙押圧板７上の最上位にある用紙３は、用紙押圧板７の裏側から上記ばねによって給紙ローラ８に向かって押圧され、その給紙ローラ８の回転によって給紙ローラ８と給紙パッド９とで挟まれた後、１枚ずつ給紙される。給紙された用紙３は、紙粉取りローラ１０によって紙粉を取り除かれた後、搬送ローラ１１によってレジストローラ１２に送られる。レジストローラ１２は、１対のローラから構成され、用紙３を所定のレジスト後に、画像形成位置に送るようにしている。ここで、画像形成位置とは、用紙３にトナー像を転写する位置であって、本実施の形態では、感光体ドラム２７と転写ローラ３０との接触位置である。
【００１８】
なお、このフィーダ部４は、更に、マルチパーパストレイ１４と、マルチパーパストレイ１４上に積層される用紙３を給紙するためのマルチパーパス側給紙ローラ１５及びマルチパーパス側給紙パッド２５とを備えている。マルチパーパス側給紙ローラ１５及びマルチパーパス側給紙パッド２５は、互いに対向状に配設され、マルチパーパス側給紙パッド２５の裏側に配設されるばねによって、そのマルチパーパス側給紙パッド２５がマルチパーパス側給紙ローラ１５に向かって押圧されている。マルチパーパストレイ１４上に積層される用紙３は、マルチパーパス側給紙ローラ１５の回転によってマルチパーパス側給紙ローラ１５とマルチパーパス側給紙パッド２５とで挟まれた後、１枚ずつ給紙されて上記レジストローラ１２に送られる。
【００１９】
画像形成部５は、露光手段としてのスキャナユニット１６、プロセスユニット１７、定着部１８などを備えている。スキャナユニット１６は、本体ケース２内の上部のうち、排紙トレイ４６の下面側に配置され、ポリゴンモータ１９によって回転駆動されるポリゴンミラー２０、レンズ２１及び２３、反射鏡２２などを備えており、図示しないレーザダイオードが発生するレーザビームを、鎖線で示すように、偏向手段としてのポリゴンミラー２０、レンズ２１、反射鏡２２、レンズ２３の順に通過或いは反射させて、プロセスユニット１７における感光体としての感光体ドラム２７の表面を走査露光する。
【００２０】
プロセスユニット１７は、感光体ドラム２７、スコロトロン型帯電器２９、転写手段としての転写ローラ３０、クリーニングローラ５１、２次ローラ５２などを備えている。レーザプリンタ１では、転写ローラ３０によって用紙３に転写された後に感光体ドラム２７の表面上に残存する残存トナーを、現像ローラ３１によって回収する、いわゆるクリーナレス方式によって残存トナーを回収するようにしている。このようなクリーナレス方式によって感光体ドラム２７の表面上の残存トナーを回収すれば、ブレードなどの残トナークリーナ装置や廃トナーの貯留手段を設ける必要がないため、装置構成の簡略化、小型化、及びコストの低減化を図ることができる。
【００２１】
感光体ドラム２７は、現像手段としての現像ローラ３１の側方位置において、その現像ローラ３１と対向するような状態で図１における反時計方向に回転可能に配設されている。この感光体ドラム２７は、ドラム本体が接地されると共に、その表面部分（感光層）は、例えば、α−Si:H等のアモルファスシリコン系ＣｄＳの硫化カドミウム系、ＺｎＯ等の酸化亜鉛系、ＡｓＳｅ3 等のセレン系の材料、若しくは有機系感光体材料、例えば、ポリカーボネートなどから構成される正帯電性の感光層により形成されている。
【００２２】
帯電手段としてのスコロトロン型帯電器２９は、感光体ドラム２７の上方に、感光体ドラム２７に接触しないように、所定の間隔を隔てて配設されている。スコロトロン型帯電器２９は、タングステンなどの帯電用ワイヤからコロナ放電を発生させる正帯電用のスコロトロン型の帯電器であり、感光体ドラム２７の表面を一様に正極性に帯電させるように構成されている。また、このスコロトロン型帯電器２９は、帯電電源によりオン・オフされる。
【００２３】
そして、感光体ドラム２７の表面は、その感光体ドラム２７の回転に伴って、先ず、スコロトロン型帯電器２９により一様に正帯電された後、スキャナユニット１６からのレーザービームの高速走査により露光され、画像データに基づく静電潜像が形成される。
【００２４】
転写ローラ３０は、感光体ドラム２７の下方において、この感光体ドラム２７に対向するように配置され、ドラムカートリッジ２６に回転可能（図１における時計方向）に支持されている。この転写ローラ３０は、金属製のローラ軸に、イオン導電性のゴム材料からなるローラが被覆されており、転写時には、転写バイアス印加電源から転写バイアス（転写順バイアス）が印加されるように構成されている。そのため、感光体ドラム２７の表面上に担持された可視像は、用紙３が感光体ドラム２７と転写ローラ３０との間を通る間に用紙３に転写される。
【００２５】
現像ユニットとしての現像カートリッジ２８は、現像ローラ３１，供給ローラ３３，トナーボックス３４などを備えており、トナーボックス３４内には、現像剤として、正帯電性の非磁性１成分のトナーが充填されている。このトナーとしては、重合性単量体、例えば、スチレンなどのスチレン系単量体や、アクリル酸、アルキル（Ｃ１〜Ｃ４）アクリレート、アルキル（Ｃ１〜Ｃ４）メタアクリレートなどのアクリル系単量体を、懸濁重合などの公知の重合方法によって共重合させることにより得られる重合トナーが使用されている。このような重合トナーは、球状をなし、流動性が極めて良好である。なお、このようなトナーには、カーボンブラックなどの着色剤やワックスなどが配合されると共に、流動性を向上させるために、シリカなどの外添剤が添加されている。その粒子径は、約６〜１０μｍ程度である。
【００２６】
そして、トナーボックス３４に充填されたトナーは、現像ローラ３１，供給ローラ３３の回転等により正に摩擦帯電されて、一定厚さの薄層として現像ローラ３１上に担持される。次いで、現像ローラ３１の回転により、現像ローラ３１上に担持されかつ正帯電されているトナーが、感光体ドラム２７に対向して接触するときに、感光体ドラム２７の表面上に形成された静電潜像、すなわち、一様に正帯電されている感光体ドラム２７の表面のうち、レーザービームによって露光され電位が下がっている露光部分に付着され、選択的に担持されることによって可視像化される。前述のように、この可視像が、感光体ドラム２７と転写ローラ３０との間を通る用紙３に転写される。
【００２７】
定着部１８は、プロセスユニット１７の側方下流側に配設され、加熱ローラ４１と、加熱ローラ４１を押圧する押圧ローラ４２と、これら加熱ローラ４１及び押圧ローラ４２の下流側に設けられる１対の搬送ローラ４３とを備えている。加熱ローラ４１は、金属製で加熱のためのハロゲンランプを備えており、プロセスユニット１７において用紙３上に転写されたトナーを、用紙３が加熱ローラ４１と押圧ローラ４２との間を通過する間に熱定着させ、その後、その用紙３を搬送ローラ４３によって、排紙パス４４に搬送するようにしている。排紙パス４４に送られた用紙３は、排紙ローラ４５に送られて、その排紙ローラ４５によって排紙トレイ４６上に排紙される。
【００２８】
次に、図２はレーザプリンタ１の上記各部を制御する制御部１００の構成を表すブロック図である。図２に示すように、制御部１００は、ＡＳＩＣ２００と、共通のＩＣの一例としての複合ＩＣ２１０とを中心に構成されている。ＡＳＩＣ２００は、ＣＰＵを備えてソフトウェアプログラムに基く各種処理を実行するが、その詳細な説明は省略する。
【００２９】
レーザプリンタ１は、その内部機構を冷却するためのファン２５１を備えており、ファン２５１を駆動するファンモータ２５５は複合ＩＣ２１０に接続されている。また、複合ＩＣ２１０には、前述の給紙ローラ８等を駆動するモータの一例としてのメインモータ２６１、及び、前述のポリゴンモータ１９が接続され、更に、次のようなソレノイドの一例としての給紙ソレノイド２７１，レジストソレノイド２７３等も接続されている。
【００３０】
ここで、メインモータ２６１の駆動力は定着部１８の加熱ローラ４１，加圧ローラ４２やプロセスユニット１７の感光体ドラム２７へは常時伝達されているが、給紙ローラ８やレジストローラ１２へは駆動力の伝達／非伝達を切り換え可能に構成されている。すなわち、図３に模式的に示すように、メインモータ２６１から給紙ローラ８，レジストローラ１２への駆動力伝達経路には、給紙ソレノイド２７１，レジストソレノイド２７３が周知の電磁クラッチ等の形態で設けられている。そこで、図２に示すように、給紙ソレノイド２７１とレジストソレノイド２７３とが複合ＩＣ２１０に接続されている。なお、図１では図示省略したが、制御部１００及びメインモータ２６１は本体ケース２の内部に設けられている。
【００３１】
次に、複合ＩＣ２１０には、ファンモータ２５５を駆動するファン駆動手段の一例としてのドライバ回路２１１と、メインモータ２６１及びポリゴンモータ１９を駆動するモータ駆動手段の一例としてのモータドライバ２１２と、給紙ソレノイド２７１，レジストソレノイド２７３をそれぞれを駆動するソレノイド駆動手段及び計時制御手段の一例としてのドライバ回路タイマ回路２１３，２１４と、ＯＲ回路２１５と、ＡＮＤ回路２１６〜２１８と、複合ＩＣ２１０の温度を検出して過熱状態に相当する温度となったとき「Ｈ」レベルの信号を出力する温度検出手段の一例としてのサーマルシャットダウン回路２１９とが設けられている。
【００３２】
次に、各部で入出力される信号について説明する。ＯＲ回路２１５には、ＡＳＩＣ２００からのＦＡＮＯＮ信号とサーマルシャットダウン回路２１９の出力とが入力され、その論和理演算の結果は、ドライバ回路２１１へ入力されている。そして、ドライバ回路２１１は、ＯＲ回路２１５から「Ｈ」レベルの信号が入力されたときに、すなわち、ＡＳＩＣ２００が「Ｈ」レベルのＦＡＮＯＮ信号を出力するか、サーマルシャットダウン回路２１９が複合ＩＣ２１０の過熱を検出して「Ｈ」レベルの信号を出力したときに、ファンモータ２５５へ駆動信号を出力する。
【００３３】
また、サーマルシャットダウン回路２１９の出力は、ＡＮＤ回路２１６〜２１８へ反転して入力されている。ＡＮＤ回路２１６へは、サーマルシャットダウン回路２１９の出力の否定と共に、ＡＳＩＣ２００から入力されるメインモータ２６１及びポリゴンモータ１９へのモータ駆動許可（Enable）も入力され、その論理積演算の結果がモータドライバ２１２へ入力される。すなわち、サーマルシャットダウン回路２１９が複合ＩＣ２１０の過熱を検出しているときは、上記モータ駆動許可（「Ｈ」レベルの信号）は無効にされる。
【００３４】
この他、モータドライバ２１２には、ＡＳＩＣ２００から、メインモータ２６１の速度制御信号及び回転方向選択信号やポリゴンモータ１９の速度制御信号が入力されている。逆に、モータドライバ２１２からＡＳＩＣ２００へは、メインモータ２６１及びポリゴンモータ１９の速度をフィードバックする信号が入力されている。そして、上記モータ駆動許可がモータドライバ２１２へ入力されている場合にのみ、上記速度制御信号及び回転方向選択信号が入力されたメインモータ２６１または上記速度制御信号が入力されたポリゴンモータ１９が、入力されたそれらの信号等に基いて駆動される。
【００３５】
また、モータドライバ２１２からメインモータ２６１へは、駆動信号としてのメインモータ出力が入力され、メインモータ２６１からモータドライバ２１２へは、メインモータ２６１の速度をフィードバックする信号、及び、メインモータ２６１の速度及び位置をフィードバックする信号が入力されている。同様に、モータドライバ２１２からポリゴンモータ１９へは、駆動信号としてのポリゴンモータ出力が入力され、ポリゴンモータ１９からモータドライバ２１２へは、ポリゴンモータ１９の速度及び位置をフィードバックする信号が入力されている。また、モータドライバ２１２は、メインモータ２６１の過電流を検出する過電流検出手段の一例としてのメインモータ過電流検出回路２１２Ａも備えており、そのメインモータ過電流検出回路２１２Ａが過電流を検出したとき、モータドライバ２１２はメインモータ２６１を停止する。
【００３６】
更に、ＡＮＤ回路２１７へは、サーマルシャットダウン回路２１９の出力の否定と共にＡＳＩＣ２００からの給紙ソレノイドＯＮ信号が入力され、その論理積演算の結果がドライバ回路タイマ回路２１３へ入力される。すなわち、ドライバ回路タイマ回路２１３は、サーマルシャットダウン回路２１９が複合ＩＣ２１０の過熱を検出しておらず、かつ、ＡＳＩＣ２００から給紙ソレノイドＯＮ信号（「Ｈ」レベルの信号）が入力されているときにのみ、給紙ソレノイド２７１へ通電を行う。また、ドライバ回路タイマ回路２１３は、給紙ソレノイド２７１への通電時間を計時するタイマ回路を備えており、その通電時間が予め定められた所定時間以上になると強制的に通電を中止する。
【００３７】
ドライバ回路タイマ回路２１４も同様に、サーマルシャットダウン回路２１９の出力の否定とＡＳＩＣ２００からのレジストソレノイドＯＮ信号との論理積演算結果がＡＮＤ回路２１８を介して入力される。このため、ドライバ回路タイマ回路２１４は、サーマルシャットダウン回路２１９が複合ＩＣ２１０の過熱を検出しておらず、かつ、ＡＳＩＣ２００からレジストソレノイドＯＮ信号（「Ｈ」レベルの信号）が入力されているときにのみ、レジストソレノイド２７３へ通電を行う。また、ドライバ回路タイマ回路２１４も、レジストソレノイド２７３への通電時間を計時するタイマ回路を備えており、その通電時間が予め定められた所定時間以上になると強制的に通電を中止する。
【００３８】
以上のように、本実施の形態では、サーマルシャットダウン回路２１９が複合ＩＣ２１０の過熱（延いては制御部１００の過熱）を検出しているか、若しくはＡＳＩＣ２００からＦＡＮＯＮ信号が出力されていることを条件に、ＦＡＮ２５１が駆動される。また、サーマルシャットダウン回路２１９が複合ＩＣ２１０の過熱（延いては制御部１００の過熱）を検出しているときは、モータ駆動許可（Enable），給紙ソレノイドＯＮ信号，レジストソレノイドＯＮ信号が無効化される。このため、本実施の形態のレーザプリンタ１では、複合ＩＣ２１０の過熱時には、メインモータ２６１、ポリゴンモータ１９、モータドライバ２１２、給紙ソレノイド２７１、レジストソレノイド２７３、及び、ドライバ回路タイマ回路２１３，２１４を停止して発熱を減少させ、ファン２５１を強制的に駆動して内部を冷却することができる。
【００３９】
しかも、本実施の形態では、ＯＲ回路２１５やＡＮＤ回路２１６，２１７，２１８はもちろんのこと、ドライバ回路２１１，モータドライバ２１２，ドライバ回路タイマ回路２１３，２１４も、周知のようにハードロジック回路にて構成されている。このため、本実施の形態では、装置の過熱、特に複合ＩＣ２１０の過熱を、万が一ＣＰＵが暴走してもその暴走等の影響を受けることなく確実に抑制することができる。
【００４０】
更に、本実施の形態では、ドライバ回路２１１、モータドライバ２１２、ドライバ回路タイマ回路２１３，２１４、ＯＲ回路２１５、ＡＮＤ回路２１６，２１７，２１８、及びサーマルシャットダウン回路２１９が、共通の複合ＩＣ２１０に形成されている。このため、構成を簡略化して製造コストを低減すると共に、ノイズ等による誤動作も抑制することができる。すなわち、これらの回路を別々のＩＣに形成すると、構成が複雑化するばかりでなく、ＩＣ同士を連絡する信号線にノイズが重畳する可能性もあるが、本実施の形態ではそのようなことを防止することができる。なお、上記実施の形態において、ＯＲ回路２１５、及び、ＡＮＤ回路２１６，２１７，２１８が制御手段に相当する。
【００４１】
また、本発明は上記実施の形態に何ら限定されるものではなく、本発明の要旨を逸脱しない範囲で種々の形態で実施することができる。例えば、本発明は、カラーレーザプリンタや、電子写真方式のコピー機，ファクシミリ装置等にも適用することができる。また、サーマルシャットダウン回路２１９等の温度検出手段は、上記実施の形態のようにドライバ回路２１１，モータドライバ２１２等のファン駆動手段，モータ駆動手段と一体のＬＳＩとして作り込んでもよいが、それらとは別体に外付けしてもよい。
【図面の簡単な説明】
【００４２】
【図１】本発明が適用されたレーザプリンタの構成を表す概略断面図である。
【図２】そのレーザプリンタの制御部の構成を表すブロック図である。
【図３】そのレーザプリンタの駆動力伝達経路の一部を模式的に表すブロック図である。
【符号の説明】
【００４３】
１…レーザプリンタ        ３…用紙                      ５…画像形成部
１２…レジストローラ      １６…スキャナユニット        １７…プロセスユニット
１８…定着部              １９…ポリゴンモータ          ２０…ポリゴンミラー
２７…感光体ドラム        ３１…現像ローラ              ４６…排紙トレイ
１００…制御部            ２１１…ドライバ回路          ２１２…モータドライバ
２１３，２１４…ドライバ回路タイマ回路      ２１５…ＯＲ回路
２１６，２１７，２１８…ＡＮＤ回路          ２１９…サーマルシャットダウン回路
２５１…ファン            ２５５…ファンモータ          ２６１…メインモータ
２７１…給紙ソレノイド    ２７３…レジストソレノイド    ２１０…複合ＩＣ
【図１】
2008040169.tif 000003
【図２】
2008040169.tif 000004
【図３】
2008040169.tif 000005